(57)【要約】  【課題】  放送受信部を備えた通信端末を使用している使用者およびその通信相手に放送局から放送された同一の番組を同時に視聴させることができる通信端末を提供する。  【解決手段】  放送局から放送された番組を表す信号を受信する放送受信部６と、撮像するカメラ２と、音声を集音するマイクロホン３と、カメラ２によって撮像されて得られた画像を表す信号およびマイクロホン３によって集音された音声を表す信号を多重化し、多重化することにより得られた信号と放送受信部６によって受信された信号とのうち何れか一方を選択する画像音声入力選択部７と、画像音声入力選択部７によって選択された信号を通信相手先に送信する通信処理部１０とを備える。【選択図】  図１
2006211137.tif 000002
【特許請求の範囲】
【請求項１】
放送局から放送された番組を表す信号を受信する放送受信部と、
音声を集音する集音部と、
前記放送受信部によって受信された信号と前記集音部によって集音された音声を表す信号とのうち何れか一方を選択する信号選択部と、
前記信号選択部によって選択された信号を通信相手先に送信する信号送信部とを備えることを特徴とする通信端末。
【請求項２】
撮像する撮像部を備え、
前記信号選択部は、前記撮像部によって撮像されて得られた画像を表す信号および前記集音部によって集音された音声を表す信号を多重化し、多重化することにより得られた信号と前記放送受信部によって受信された信号とのうち何れか一方を選択することを特徴とする請求項１に記載の通信端末。
【請求項３】
放送局から放送された番組を表す信号を受信する放送受信部と、
音声を集音する集音部と、
前記放送受信部によって受信された信号と前記集音部によって集音された音声を表す信号とを合成する信号合成部と、
前記信号合成部によって合成されて得られた信号を通信相手先に送信する信号送信部とを備えることを特徴とする通信端末。
【請求項４】
撮像する撮像部を備え、
前記信号合成部は、前記撮像部によって撮像されて得られた画像を表す信号と、前記集音部によって集音された音声を表す信号と、前記放送受信部によって受信された信号とを合成することを特徴とする請求項３に記載の通信端末。
【請求項５】
前記信号合成部は、前記放送受信部によって受信された信号と、通信相手先から送信された信号とを合成することを特徴とする請求項３または請求項４に記載の通信端末。
【発明の詳細な説明】
【技術分野】
【０００１】
本発明は、相手の通信端末との間でネットワークを介して通信を行う通信端末に関し、特に、放送局から送信された番組を受信する携帯電話機、ＰＤＡ(Personal Digital Assistant)、固定電話機、またはＰＣ(Personal Computer)等の通信端末に関する。
【背景技術】
【０００２】
従来の通信端末としては、図７に示すように、カメラ７２と、マイクロホン７３と、液晶表示部７４と、スピーカ７５と、放送受信部７６と、画像音声圧縮符号部７８と、画像音声伸張復号部７９と、通信処理部８０と、画像音声出力選択部８１とを備え、通信相手が使用している通信端末（以下、相手端末という。）８３から通信路８２を介して送信された画像音声信号を通信処理部８０が受信し、受信された画像音声信号を画像音声伸張復号部７９が伸張復号化し、放送受信部７６によって受信された画像音声信号と画像音声伸張復号部７９によって伸張復号化された画像音声信号とのうち何れか一方を使用者による通信端末（以下、自端末という。）７１の操作に応じて画像音声出力選択部８１が選択し、選択された画像音声信号を液晶表示部７４およびスピーカ７５が出力して使用者に番組を視聴させるものが知られている（例えば、特許文献１参照）。
【特許文献１】特開２００２−１０１１６４号公報
【発明の開示】
【発明が解決しようとする課題】
【０００３】
しかしながら、従来の通信端末では、放送受信部７６を備えた自端末７１から相手端末８３に、自端末７１が放送局から受信した画像音声信号を送信することができない、すなわち放送受信部７６を備えた自端末７１を使用している使用者およびその通信相手に放送局から放送された同一の番組を同時に視聴させることができないという問題があった。
【０００４】
本発明は、従来の問題を解決するためになされたもので、放送受信部を備えた通信端末を使用している使用者およびその通信相手に放送局から放送された同一の番組を同時に視聴させることができる通信端末を提供することを目的とする。
【課題を解決するための手段】
【０００５】
本発明の通信端末は、放送局から放送された番組を表す信号を受信する放送受信部と、音声を集音する集音部と、前記放送受信部によって受信された信号と前記集音部によって集音された音声を表す信号とのうち何れか一方を選択する信号選択部と、前記信号選択部によって選択された信号を通信相手先に送信する信号送信部とを備えた構成を有している。
【０００６】
また、本発明の通信端末は、撮像する撮像部を備え、前記信号選択部は、前記撮像部によって撮像されて得られた画像を表す信号および前記集音部によって集音された音声を表す信号を多重化し、多重化することにより得られた信号と前記放送受信部によって受信された信号とのうち何れか一方を選択するような構成を有している。
【０００７】
これらの構成により、本発明の通信端末は、放送受信部によって受信された番組を表す信号を通信相手先に送信するため、放送受信部を備えた通信端末を使用している使用者およびその通信相手に放送局から放送された同一の番組を同時に視聴させることができる。さらに、本発明の通信端末は、番組が特定の地域または国でしか放送されていない場合であっても、特定の地域または国にいる使用者が使用している通信端末から通信相手先に上記番組を表す信号を送信することにより通信相手にその番組を視聴させることができる。
【０００８】
また、本発明の通信端末は、放送局から放送された番組を表す信号を受信する放送受信部と、音声を集音する集音部と、前記放送受信部によって受信された信号と前記集音部によって集音された音声を表す信号とを合成する信号合成部と、前記信号合成部によって合成されて得られた信号を通信相手先に送信する信号送信部とを備えた構成を有している。
【０００９】
また、本発明の通信端末は、撮像する撮像部を備え、前記信号合成部が、前記撮像部によって撮像されて得られた画像を表す信号と、前記集音部によって集音された音声を表す信号と、前記放送受信部によって受信された信号とを合成するような構成を有している。
【００１０】
これらの構成により、本発明の通信端末は、撮像部が撮像することにより得られた画像を表す信号と、集音部によって集音された音声を表す信号と、放送受信部によって受信された番組を表す信号とを通信相手先に送信するため、放送受信部を備えた通信端末を使用している使用者およびその通信相手に音声電話またはテレビ電話をさせながら放送局から放送された同一の番組を同時に視聴させることができる。
【００１１】
さらに、本発明の通信端末は、前記信号合成部が、前記放送受信部によって受信された信号と、通信相手先から送信された信号とを合成するような構成を有している。
【００１２】
この構成により、本発明の通信端末は、放送受信部によって受信された信号と、通信相手先から送信された信号とを通信相手先に送信するため、放送受信部を備えた通信端末を使用している使用者およびその通信相手に、放送局から放送された同一の番組と通信相手先から送信された画像音声信号によって表される同一の画像音声とを同時に視聴させることができる。
【発明の効果】
【００１３】
本発明は、放送受信部を備えた通信端末を使用している使用者およびその通信相手に放送局から放送された同一の番組を同時に視聴させることができる通信端末を提供するものである。
【発明を実施するための最良の形態】
【００１４】
以下、本発明の実施の形態に係る通信端末について、図面を参照して説明する。
【００１５】
（第１の実施の形態）
本発明の第１の実施の形態に係る通信端末を図１に示す。
【００１６】
図１に示すように、通信端末（以下、自端末という。）１は、撮像するカメラ２と、音声を集音するマイクロホン３と、放送局から放送された番組を表す画像音声信号を受信する放送受信部６と、カメラ２によって撮像されて得られた画像を表す画像信号およびマイクロホン３によって集音された音声を表す音声信号を多重化し、多重化することにより得られた画像音声信号と放送受信部６によって受信された画像音声信号とのうち何れか一方を使用者による自端末１の操作に応じて選択する画像音声入力選択部７と、画像音声入力選択部７によって選択された画像音声信号を圧縮符号化する画像音声圧縮符号部８と、画像音声圧縮符号部８によって圧縮符号化された画像音声信号を通信相手が使用している通信端末（以下、相手端末という。）１３へ通信路１２を介して送信するとともに、相手端末１３から通信路１２を介して画像音声信号を受信する通信処理部１０と、通信処理部１０によって受信された画像音声信号を伸張復号化する画像音声伸張復号部９と、放送受信部６によって受信された画像音声信号と画像音声伸張復号部９によって伸張復号化された画像音声信号とのうち何れか一方を使用者による自端末１の操作に応じて選択する画像音声出力選択部１１と、画像音声出力選択部１１によって選択された画像音声信号を出力する液晶表示部４およびスピーカ５とを有する構成である。
【００１７】
なお、放送受信部６は、放送局から放送された番組を表す画像信号と音声信号のうち何れか一方のみを受信するようにしてもよい。
【００１８】
本発明における撮像部は、カメラ２によって構成される。本発明においては、撮像部としてカメラ２とは異なる他のものを用いてもよく、撮像するものであれば如何なるものを用いてもよい。また、本発明において、撮像部は１つに限定されず、複数でもよい。
【００１９】
本発明における集音部は、マイクロホン３によって構成される。本発明においては、集音部としてマイクロホン３とは異なる他のものを用いてもよく、音声を集音するものであれば如何なるものを用いてもよい。
【００２０】
本発明における信号選択部は、画像音声入力選択部７によって構成される。本発明においては、信号選択部として画像音声入力選択部７に換えてプロセッサ等を用いてもよく、撮像部によって撮像されて得られた画像を表す信号および集音部によって集音された音声を表す信号を多重化し、多重化することにより得られた信号と放送受信部によって受信された信号とのうち何れか一方を選択するものであれば如何なるものを用いてもよい。
【００２１】
本発明における信号送信部は、通信処理部１０によって構成される。本発明においては、信号送信部として通信処理部１０に換えてプロセッサ等を用いてもよく、信号選択部によって選択された信号を通信相手先に送信するものであれば如何なるものを用いてもよい。
【００２２】
以上のように構成された自端末１について、図面を用いてその動作を説明する。
【００２３】
図２は、本発明の第１の実施の形態に係る自端末１の動作説明のためのフロー図である。
【００２４】
まず、カメラ２によって撮像されるとともに（ステップＳ２１）、音声がマイクロホン３によって集音される（ステップＳ２２）。次に、放送局から放送された番組を表す画像音声信号が放送受信部６によって受信される（ステップＳ２３）。カメラ２によって撮像されて得られた画像を表す画像信号およびマイクロホン３によって集音された音声を表す音声信号を多重化し、多重化することにより得られた画像音声信号と放送受信部６によって受信された画像音声信号とのうち何れか一方が使用者による自端末１の操作に応じて画像音声入力選択部７によって選択される（ステップＳ２４）。画像音声入力選択部７によって選択された画像音声信号が画像音声圧縮符号部８によって圧縮符号化され（ステップＳ２５）、画像音声圧縮符号部８によって圧縮符号化された画像音声信号が通信処理部１０によって相手端末１３に通信路１２を介して送信される（ステップＳ２６）。
【００２５】
なお、通信路１２は、有線、無線で構成されるネットワーク等である。
【００２６】
このような本発明の第１の実施の形態に係る通信端末によれば、放送受信部６によって受信された番組を表す画像音声信号を相手端末１３に送信するため、放送受信部６を備えた自端末１を使用している使用者およびその通信相手に放送局から放送された同一の番組を同時に視聴させることができる。さらに、番組が特定の地域または国でしか放送されていない場合であっても、特定の地域または国にいる使用者が使用している自端末１から相手端末１３に上記番組を表す画像音声信号を送信することにより通信相手にその番組を視聴させることができる。
【００２７】
（第２の実施の形態）
次に、本発明の第２の実施の形態に係る通信端末を図３に示す。
【００２８】
なお、本発明の第２の実施の形態に係る通信端末を構成する構成要素のうち、本発明の第１の実施の形態に係る通信端末を構成する構成要素と同一の構成要素には同一の符号を付し、それぞれの説明を省略する。
【００２９】
図３に示すように、通信端末（以下、自端末という。）３１は、カメラ２と、マイクロホン３と、放送受信部６と、カメラ２によって撮像されて得られた画像を表す画像信号と、マイクロホン３によって集音された音声を表す音声信号と、放送受信部６によって受信された画像音声信号とを合成する画像音声入力合成部３７と、画像音声圧縮符号部８と、通信処理部１０と、画像音声伸張復号部９と、画像音声出力選択部１１と、液晶表示部４と、スピーカ５とを有する構成である。
【００３０】
なお、画像音声入力合成部３７は、カメラ２によって撮像されて得られた画像を表す画像信号と、マイクロホン３によって集音された音声を表す音声信号と、放送受信部６によって受信された画像音声信号とを多重化することにより合成するようになっている。
【００３１】
本発明における信号合成部は、画像音声入力合成部３７によって構成される。本発明においては、信号合成部として画像音声入力合成部３７に換えてプロセッサ等を用いてもよく、撮像部によって撮像されて得られた画像を表す信号と、集音部によって集音された音声を表す信号と、放送受信部によって受信された信号とを合成するものであれば如何なるものを用いてもよい。
【００３２】
以上のように構成された自端末３１について、図面を用いてその動作を説明する。
【００３３】
図４は、本発明の第２の実施の形態に係る自端末３１の動作説明のためのフロー図である。
【００３４】
まず、カメラ２によって撮像されるとともに（ステップＳ４１）、音声がマイクロホン３によって集音される（ステップＳ４２）。次に、放送局から放送された番組を表す画像音声信号が放送受信部６によって受信される（ステップＳ４３）。カメラ２によって撮像されて得られた画像を表す画像信号と、マイクロホン３によって集音された音声を表す音声信号と、放送受信部６によって受信された画像音声信号とが画像音声入力合成部３７によって合成される（ステップＳ４４）。画像音声入力合成部３７によって合成されて得られた画像音声信号が画像音声圧縮符号部８によって圧縮符号化され（ステップＳ４５）、画像音声圧縮符号部８によって圧縮符号化された画像音声信号が通信処理部１０によって相手端末１３に通信路１２を介して送信される（ステップＳ４６）。
【００３５】
以上のように本発明の第２の実施の形態に係る通信端末によれば、カメラ２によって撮像されて得られた画像を表す信号と、マイクロホン３によって集音された音声を表す信号と、放送受信部６によって受信された画像音声信号とを相手端末１３に送信するため、放送受信部６を備えた自端末３１を使用している使用者およびその通信相手に音声電話またはテレビ電話をさせながら放送局から放送された同一の番組を同時に視聴させることができる。
（第３の実施の形態）
次に、本発明の第３の実施の形態に係る通信端末を図５に示す。
【００３６】
なお、本発明の第３の実施の形態に係る通信端末を構成する構成要素のうち、本発明の第１の実施の形態に係る通信端末を構成する構成要素と同一の構成要素には同一の符号を付し、それぞれの説明を省略する。
【００３７】
図５に示すように、通信端末（以下、自端末という。）５１は、カメラ２と、マイクロホン３と、放送受信部６と、画像音声圧縮符号部８と、通信処理部１０と、画像音声伸張復号部９と、放送受信部６によって受信された画像音声信号と、画像音声伸張復号部９によって伸張復号化された画像音声信号とを合成する画像音声入力合成部５７と、画像音声出力選択部１１と、液晶表示部４と、スピーカ５とを有する構成である。
【００３８】
なお、画像音声入力合成部５７は、放送受信部６によって受信された画像音声信号と画像音声伸張復号部９によって伸張復号化された画像音声信号とを多重化することにより合成するようになっている。
【００３９】
以上のように構成された自端末５１について、図面を用いてその動作を説明する。
【００４０】
図６は、本発明の第３の実施の形態に係る自端末５１の動作説明のためのフロー図である。
【００４１】
まず、放送局から放送された番組を表す画像音声信号が放送受信部６によって受信される（ステップＳ６１）。次に、相手端末１３から通信路１２を介して画像音声信号が通信処理部１０によって受信され（ステップＳ６２）、通信処理部１０によって受信された画像音声信号が画像音声伸張復号部９によって伸張復号化される（ステップＳ６３）。放送受信部６によって受信された画像音声信号と、画像音声伸張復号部９によって伸張復号化された画像音声信号とが画像音声入力合成部５７によって合成される（ステップＳ６４）。画像音声入力合成部５７によって合成されて得られた画像音声信号が画像音声圧縮符号部８によって圧縮符号化される（ステップＳ６５）。画像音声圧縮符号部８によって圧縮符号化された画像音声信号が通信処理部１０によって相手端末１３へ通信路１２を介して送信される（ステップＳ６６）。
【００４２】
以上のように本発明の第３の実施の形態に係る通信端末によれば、放送受信部６によって受信された画像音声信号と、相手端末１３から送信された画像音声信号とを相手端末１３に送信するため、放送受信部６を備えた自端末５１を使用している使用者およびその通信相手に、放送局から放送された同一の番組と相手端末１３から送信された画像音声信号によって表される同一の画像音声とを同時に視聴させることができる。
【産業上の利用可能性】
【００４３】
以上のように、本発明に係る通信端末は、放送受信部を備えた通信端末を使用している使用者およびその通信相手に放送局から放送された同一の番組を同時に視聴させることができるという効果を有し、携帯電話機、ＰＤＡ(Personal Digital Assistant)、固定電話機、ネットワーク通信機能を持つＰＣ(Personal Computer)等に利用され、放送局から放送された番組を受信して使用者に視聴させる通信端末として有用である。
【図面の簡単な説明】
【００４４】
【図１】本発明の第１の実施の形態に係る通信端末のブロック図
【図２】本発明の第１の実施の形態に係る通信端末の動作説明のためのフロー図
【図３】本発明の第２の実施の形態に係る通信端末のブロック図
【図４】本発明の第２の実施の形態に係る通信端末の動作説明のためのフロー図
【図５】本発明の第３の実施の形態に係る通信端末のブロック図
【図６】本発明の第３の実施の形態に係る通信端末の動作説明のためのフロー図
【図７】従来の通信端末のブロック図
【符号の説明】
【００４５】
１、３１、５１、７１  通信端末（自端末）
２、７２  カメラ（撮像部）
３、７３  マイクロホン（集音部）
４、７４  液晶表示部
５、７５  スピーカ
６、７６  放送受信部
７  画像音声入力選択部（信号選択部）
３７、５７  画像音声入力合成部（信号合成部）
８、７８  画像音声圧縮符号部
９、７９  画像音声伸張復号部
１０、８０  通信処理部（信号送信部）
１１、８１  画像音声出力選択部
１２、８２  通信路
１３、８３  通信端末（相手端末）
【図１】
2006211137.tif 000003
【図２】
2006211137.tif 000004
【図３】
2006211137.tif 000005
【図４】
2006211137.tif 000006
【図５】
2006211137.tif 000007
【図６】
2006211137.tif 000008
【図７】
2006211137.tif 000009